(57)【要約】【課題】絵柄を使用中に変化させたいとのニーズを満たすとともに、絵柄に立体感や深みを与えたいとのニーズを満たし、印刷の絵柄にリアリティーや臨場感を与えることができる使い捨ておむつを提供すること。【解決手段】本発明の使い捨ておむつ１Ａは、表面シート２、裏面シート３、これらシート２，３間に配された吸収体４を備え、腹側部Ａ、背側部Ｂ及び股下部Ｃに区分されている。裏面シート３、及び裏面シート３よりも外面側に位置するシート材それぞれに、グラフィック８が形成されている。裏面シート３及び／又はシート材のグラフィック８の少なくとも一部が、フォトクロミック化合物を用いて形成されている。裏面シート３に形成されるグラフィック８ａの輪郭と、シート材に形成されるグラフィック８の輪郭とが重なっているか又は接している。【選択図】図３
2012095845.tif 000002
【特許請求の範囲】
【請求項１】
液透過性の表面シートと、液不透過性の裏面シートと、これらシート間に配された吸収体とを備え、腹側部、背側部及び股下部に区分された使い捨ておむつであって、
前記裏面シート、及び前記裏面シートよりも外面側に位置するシート材それぞれに、グラフィックが形成されており、
前記裏面シート及び／又は前記シート材の前記グラフィックの少なくとも一部が、フォトクロミック化合物を用いて形成されており、
前記裏面シートに形成される前記グラフィックの輪郭と、前記シート材に形成される前記グラフィックの輪郭とが重なっているか又は接している使い捨ておむつ。
【請求項２】
前記裏面シートに形成される前記グラフィックの輪郭と、前記シート材に形成される前記グラフィックの輪郭とが重なっており、該重なっている部分に、前記フォトクロミック化合物が配されている請求項１に記載の使い捨ておむつ。
【請求項３】
前記使い捨ておむつは、前記シート材を複数有し、複数の前記シート材それぞれに、前記グラフィックが形成されており、複数の該シート材の該グラフィックそれぞれは、前記フォトクロミック化合物を用いて形成されている請求項１又は２に記載の使い捨ておむつ。
【請求項４】
前記裏面シートはフィルムで構成されており、前記シート材は不織布で構成されている請求項１〜３の何れか１項に記載の使い捨ておむつ。
【請求項５】
前記フォトクロミック化合物は、熱可逆性である請求項１〜４の何れか１項に記載の使い捨ておむつ。
【発明の詳細な説明】
【技術分野】
【０００１】
本発明は、パンツ型や展開型等の使い捨ておむつに関する。
【背景技術】
【０００２】
従来より、使い捨ておむつを履いて水遊びのできる水遊び用の使い捨ておむつや、使い捨ておむつだけを履いて外出できるジーンズ調の印刷が施された使い捨ておむつが知られている。このような使い捨ておむつは、積極的に使い捨ておむつの外観を見せるようにして使用されるため、印刷の絵柄に特徴を持たせたいとのニーズがある。例えば、絵柄に立体感や深みを与えたり、絵柄を使用中に変化させたいとのニーズがある。例えば、特許文献１，特許文献２には、トップシート上の全ての図柄が、光により色変化を起こすフォトクロミック染料を用いて形成されている使い捨ておむつが開示されている。
【０００３】
特許文献１，特許文献２に記載の使い捨ておむつは、光により色変化を起こすフォトクロミック染料を図柄に用いているため、特許文献１，特許文献２に記載の使い捨ておむつを履いて外出し太陽光に当たると、フォトクロミック染料を用いた図柄が変化し、絵柄を使用中に変化させたいとのニーズを満たす。
【０００４】
しかしながら、特許文献１，特許文献２には、使い捨ておむつに印刷された絵柄に、立体感や深みを与えることについて、何ら記載されていない。また、特許文献１，特許文献２には、使い捨ておむつに印刷された絵柄のどのような箇所を、フォトクロミック染料を用いて印刷するかについて、何ら記載されていない。
【先行技術文献】
【特許文献】
【０００５】
【特許文献１】特表２００７−５３３４１７号公報
【特許文献２】特表２０１０−５１６３７５号公報
【発明の開示】
【発明が解決しようとする課題】
【０００６】
したがって、本発明の課題は、前述した従来技術が有する欠点を解消し得る使い捨ておむつを提供することにある。
【課題を解決するための手段】
【０００７】
本発明は、液透過性の表面シートと、液不透過性の裏面シートと、これらシート間に配された吸収体とを備え、腹側部、背側部及び股下部に区分された使い捨ておむつであって、前記裏面シート、及び該裏面シートよりも外面側に位置するシート材それぞれに、グラフィックが形成されており、前記裏面シート及び／又は前記シート材の前記グラフィックの少なくとも一部が、フォトクロミック化合物を用いて形成されており、前記裏面シートに形成される前記グラフィックの輪郭と、前記シート材に形成される前記グラフィックの輪郭とが重なっているか又は接している使い捨ておむつを提供するものである。
【発明の効果】
【０００８】
本発明の使い捨ておむつによれば、絵柄を使用中に変化させたいとのニーズを満たすとともに、絵柄に立体感や深みを与えたいとのニーズを満たし、印刷の絵柄にリアリティーや臨場感を与えることができる。
【図面の簡単な説明】
【０００９】
【図１】図１（ａ）は、本発明の第1実施形態であるパンツ型使い捨ておむつの光照射前の着用状態を示す斜視図であり、図１（ｂ）は、本発明の第1実施形態であるパンツ型使い捨ておむつの光照射後の着用状態を示す斜視図である。
【図２】図２は、図１に示すパンツ型使い捨ておむつを展開して伸長した状態を示す展開平面図である。
【図３】図３は、図２のＸ１−Ｘ１線断面図である。
【図４】図４（ａ）は、本発明の第２実施形態であるパンツ型使い捨ておむつの光照射前の着用状態を示す斜視図であり、図４（ｂ）は、本発明の第２実施形態であるパンツ型使い捨ておむつの光照射後の着用状態を示す斜視図である。
【図５】図５は、図４に示すパンツ型使い捨ておむつの断面図（図３相当図）である。
【図６】図６（ａ）は、本発明の第３実施形態である展開型の使い捨ておむつの光照射前の着用状態を示す斜視図であり、図６（ｂ）は、本発明の第３実施形態である展開型の使い捨ておむつの光照射後の着用状態を示す斜視図である。
【図７】図７は、図１に示す展開型の使い捨ておむつを展開して伸長した状態を示す展開平面図である。
【図８】図８は、図７のＸ２−Ｘ２線断面図である。
【図９】図９（ａ）は、本発明の第４実施形態である展開型の使い捨ておむつの光照射前の着用状態を示す斜視図であり、図９（ｂ）は、本発明の第４実施形態である展開型の使い捨ておむつの光照射後の着用状態を示す斜視図である。
【図１０】図１０は、図９に示す展開型の使い捨ておむつの断面図（図８相当図）である。
【発明を実施するための形態】
【００１０】
以下、本発明の使い捨ておむつを、その好ましい第１実施形態に基づき、図１〜図３を参照しながら説明する。
【００１１】
第１実施形態の使い捨ておむつ１Ａ（以下、「おむつ１Ａ」ともいう。）は、液透過性の表面シート２と、液不透過性の裏面シート３と、これらシート間に配された吸収体４とを備え、腹側部Ａ、背側部Ｂ及び股下部Ｃに区分された使い捨ておむつである。以下、詳述すると、おむつ１Ａは、図１，図２に示すように、着用者の腹側に配される横長の矩形状の腹側シート部材６Ａと、着用者の背側に配される横長の矩形状の背側シート部材６Ｂと、腹側シート部材６Ａ及び背側シート部材６Ｂに架け渡して固定された吸収性本体５と、吸収性本体５の両側部５ｃ，５ｃそれぞれに配された立体ギャザー７とを具備し、腹側シート部材６Ａの両側縁部６ａ，６ａと背側シート６Ｂの両側縁部６ｂ，６ｂとが接合されて、ウエスト開口部ＷＯと一対のレッグ開口部ＬＯ，ＬＯとが形成された（図１参照）、所謂、パンツ型使い捨ておむつである。尚、この接合には、例えばヒートシール、高周波シール、超音波シール、接着剤等が用いられる。
おむつ１Ａは、図１，図２に示すように、中心線ＣＬに対して左右対称に形成されている。
【００１２】
第１実施形態のおむつ１Ａについて、詳述すると、おむつ１Ａは、おむつ１Ａの伸長状態（図２参照）において、その縦方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その縦方向（Ｙ方向）に直交する方向（以下「Ｘ方向」という。）である。
【００１３】
おむつ１Ａの吸収性本体５は、図２，図３に示すように、液透過性の表面シート２、液不透過性又は撥水性の裏面シート３、及び両シート２、３間に介在配置された液保持性の吸収体４を有しており、図２に示すように、縦方向（Ｙ方向）に長い長方形状に形成されている。吸収体４も、縦方向（Ｙ方向）に長い長方形状に形成されている。おむつ１Ａの裏面シート３は、図３に示すように、液不透過性又は撥水性の樹脂フィルム３１と、樹脂フィルム３１の外面に配した不織布３２とからなる積層体である。
吸収性本体５は、縦方向（Ｙ方向）の端部５ａ側の領域が、腹側シート部材６Ａに接着剤を介して固定され、縦方向（Ｙ方向）の端部５ｂ側の領域が、背側シート部材６Ｂに接着剤を介して固定されている。
【００１４】
腹側シート部材６Ａ及び背側シート６Ｂそれぞれは、図２に示すように、縦方向（Ｙ方向）に離間させて配され且つ幅方向（Ｘ方向）に伸長した状態で配された複数本の弾性部材（不図示）を有している。おむつ１Ａにおける腹側シート部材６Ａ及び背側シート部材６Ｂは何れも、図２，図３に示すように、おむつの外面をなす外層シート６１と、外層シート６１の内面側に配された内層シート６２と、両シート６１，６２間に、幅方向（Ｘ方向）に伸長した状態の複数本の弾性部材（不図示）とを備えている。第１実施形態のおむつ１Ａにおいては、外層シート６１は、図２に示すように、外層シート６１と内層シート６２とによって複数本の糸状の弾性部材（不図示）を挟持固定する領域よりも更に縦方向（Ｙ方向）に延出する長さを有しており、外層シート６１における内層シート６２よりも延出した延出領域は、吸収性本体５側に折り返され、吸収性本体５の縦方向（Ｙ方向）の端部５ａ，５ｂを覆う位置まで延出し、接着剤（図示せず）を介して内層シート６２に接着されている。
【００１５】
吸収性本体５の両側部５ｃ，５ｃそれぞれに配された立体ギャザー７は、第１実施形態のおむつ１Ａにおいては、図２，図３に示すように、吸収性本体５の側部５ｃから幅方向（Ｘ方向）内方に延出する第１立体ギャザー７ａと、吸収性本体５の側部５ｃから幅方向（Ｘ方向）外方に延出する第２立体ギャザー７ｂとからなる。第１立体ギャザー７ａ及び第２立体ギャザー７ｂそれぞれは、パンツ型吸収性物品の展開且つ伸長状態において、立体ギャザー形成用シート７０と、立体ギャザー形成用シート７０の縦方向（Ｙ方向）に伸長状態で配された複数本の弾性部材７１とから形成される。具体的には、第１実施形態のおむつ１Ａにおいては、図３に示すように、立体ギャザー形成用シート７０は、一枚のシートであり、第１立体ギャザー７ａの自由端側の頂部となる折れ線に沿って二つ折りされて二枚重ねのシートとされ、この二枚重ねのシートの間に縦方向（Ｙ方向）に伸長状態の複数本の弾性部材７１を配して接着剤により固定して第１立体ギャザー７ａが形成されている。
【００１６】
さらに、第１実施形態のおむつ１Ａにおいては、図３に示すように、二枚重ねのシートは、幅方向（Ｘ方向）の外方に延出し、第２立体ギャザー７ｂの自由端側の頂部となる折れ線に沿って更に二つ折りされて四枚重ねのシートとされ、この四枚重ねのシートを構成する二枚重ねのシート同士の間に縦方向（Ｙ方向）に伸長状態の複数本の弾性部材７１を配して接着剤により固定して第２立体ギャザー７ｂが形成されている。第１実施形態のおむつ１Ａにおいては、表面シート２が、図３に示すように、裏面シート３よりも幅方向（Ｘ方向）に長く形成されており、上述した二枚重ねのシートは、吸収体４の幅方向（Ｘ方向）の外方端縁から延出した表面シート２の延出部分と、ヒートシール、接着剤等の各種公知の接合方法により接合一体化されている。また、上述した二枚重ねのシートの先端部は、最終的に、図３に示すように、吸収体４と裏面シート３との間に配され、ヒートシール、接着剤等の各種公知の接合方法により接合一体化されている。このように形成された第１立体ギャザー７ａは、複数本の弾性部材７１の収縮により、着用者の肌側に向かって幅方向（Ｘ方向）内方（中心線ＣＬ側）に起立する。また、このように形成された第２立体ギャザー７ｂは、複数本の弾性部材７１の収縮により、着用者の肌側に向かって幅方向（Ｘ方向）外方（中心線ＣＬと反対側）に起立する。
【００１７】
本発明の使い捨ておむつは、裏面シート３、及び裏面シート３よりも外面側に位置するシート材それぞれに、グラフィックが形成されている。裏面シート３としては、フィルムのみから構成されたもの、フィルムと不織布との積層体からなるものを用いることができ、裏面シート３にフィルムと不織布との積層体を用いた場合の「裏面シート３よりも外面側に位置する」とは、裏面シート３を構成するフィルムを基準に、裏面シート３を構成するフィルムよりも外面側に位置することを意味する。以下、具体的に説明する。おむつ１Ａは、裏面シート３よりも外面側、即ち、裏面シート３を構成するフィルム３１よりも外面側に位置するシート材を複数有しており、おむつ１Ａにおけるシート材には、図３に示すように、裏面シート３を構成する樹脂フィルム３１の外面に配された不織布３２、腹側シート部材６Ａを構成する内層シート６２、及び内層シート６２の外面側に配された腹側シート部材６Ａを構成する外層シート６１が該当する。おむつ１Ａにおいては、裏面シート３を構成する樹脂フィルム３１、及び腹側シート部材６Ａを構成する外層シート６１それぞれにグラフィック８が形成されている。おむつ１Ａにおいては、裏面シート３の樹脂フィルム３１に形成されるグラフィック８ａの輪郭と外層シート６１に形成されるグラフィック８ｄの輪郭とが重なっている。樹脂フィルム３１のグラフィック８ａ及び外層シート６１のグラフィック８ｄの内、おむつ１Ａにおいては、外層シート６１のグラフィック８ｄの全部が、フォトクロミック化合物を用いて形成されており、グラフィック８ａの輪郭とグラフィック８ｄの輪郭との重なっている部分に、フォトクロミック化合物が配されている。尚、おむつ１Ａにおいては、グラフィック８ａの輪郭とグラフィック８ｄの輪郭とが略一致している。ここで、「フォトクロミック化合物」とは、単一の化学種が光の作用により分子量を変えることなく、閉環・開環反応などを引き起こし、吸収スペクトルの異なる状態間を可逆的に異性化し、黄色、赤色、青色など様々な色を発現する化合物を意味する。
【００１８】
樹脂フィルム３１のグラフィック８ａは、従来この種の使い捨ておむつに用いられてきたインクを、フレキソ、グラビア、インクジェット方式等の公知の方法により樹脂フィルム３１の外面に印刷して形成されたものであり、腹側シート部材６Ａ越しに外部から視認可能になっている。おむつ１Ａのグラフィック８ａは、図１（ａ）に示すような擬人化した円形状のキャラクターの模様である。グラフィック８の模様としては、他に、動物、乗り物、食べ物、植物、文字、音符、太陽、星、虹、雲などの自然に関するもの、楽器、円形状、四角形状、三角形状、直線状、曲線状等の模様が挙げられる。
【００１９】
外層シート６１のグラフィック８ｄは、おむつ１Ａにおいては、フォトクロミック化合物を含有するインクを、フレキソ、グラビア、インクジェット方式等の公知の方法により外層シート６１の外面に印刷して形成されたものであり、色の発現後、外部から視認可能になっている。おむつ１Ａのグラフィック８ｄは、図１（ｂ）に示すように、おむつ１Ａのグラフィック８ａである円形状のキャラクターの輪郭に対応する円形状に形成されている。
【００２０】
グラフィック８ｄを形成するインクに含まれるフォトクロミック化合物は、光、特に紫外光の照射により、無色から有色に変化する化合物であり、光の作用によってのみ色変化を示す化合物と、光の作用のみならず熱の作用によっても色変化を示す熱可逆性の化合物とに大別される。光の作用によってのみ色変化を示すフォトクロミック化合物は、日常生活における色の変化が、紫外光を最初に照射した際にのみ起こる化合物である。また、光の作用のみならず熱の作用によっても色変化を示す熱可逆性のフォトクロミック化合物は、日常生活における色の変化が、紫外光を照射した際のみならず紫外光の照射を除いた際にも起こり、繰り返し性を有する化合物である。
【００２１】
光の作用によってのみ色変化を示すフォトクロミック化合物としては、ジアリールエテン類、フルギド類（特表２０１０−５１６３７５記載）等の化合物が挙げられる。一方、光の作用のみならず熱の作用によっても色変化を示す熱可逆性のフォトクロミック化合物としては、ＨＡＢＩ類（ヘキサアリールビスイミダゾール）、スピロオキサジン類（特表２０１０−５１６３７５記載）等が挙げられる。グラフィック８ｄを形成するインクに含まれるフォトクロミック化合物には、これらの中から選ばれた１種又は２種以上を用いることができる。グラフィック８ｄを形成するインクを印刷する際には溶剤性のフォトクロミック組成物が好ましく、その組成物におけるフォトクロミック化合物の含有量は、０．１〜１重量％であることが好ましい。
光の作用によってのみ色変化を示すフォトクロミック化合物を用いると、製造時や販売時に色が変化しないように遮光する必要がある。そのため、光の作用のみならず熱の作用によっても色変化を示す熱可逆性のフォトクロミック化合物を用いることが好ましい。また、光の作用のみならず熱の作用によっても色変化を示す熱可逆性のフォトクロミック化合物を用いると、色の変化（出現と消失）を何回も楽しむことができ、簡易的に紫外線をチェックすることもできる。
【００２２】
グラフィック８ｄを形成するインクには、フォトクロミック化合物に加えて、他の成分を含有していてもよい。他の成分としては、例えば、染料や顔料等を挙げることができ、これらの１種を単独で又は２種以上を混合して用いることができる。グラフィック８ｄを形成するインクにおけるフォトクロミック化合物以外の他の成分の含有量は、２５〜７５重量％であることが好ましい。
【００２３】
第１実施形態のおむつ１Ａの形成材料について説明する。
腹側シート部材６Ａ及び背側シート６Ｂそれぞれを構成する外層シート６１と内層シート６２としては、通常、使い捨ておむつ等の吸収性物品に用いられるものであれば、特に制限なく用いることができる。例えば、外層シート６１及び内層シート６２としては、撥水性の不織布を用いている。
【００２４】
吸収性本体５を構成する表面シート２及び吸収体４としては、それぞれ、通常、使い捨ておむつ等の吸収性物品に用いられるものであれば、特に制限なく用いることができる。例えば、表面シート２としては、親水性且つ液透過性の不織布等を用いることができ、吸収体４としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。
【００２５】
立体ギャザー７を形成する立体ギャザー形成用シート７０としては、通常、使い捨ておむつ等の吸収性物品に用いられるものであれば、特に制限なく用いることができる。例えば、立体ギャザー形成用シート７０としては、液抵抗性又は撥水性で且つ通気性の、伸縮性フィルム、不織布、織物またはそれらの積層シート等を用いることができる。
腹側シート部材６Ａ及び背側シート６Ｂに配される弾性部材（不図示）、立体ギャザー形成用シート７０に配される弾性部材７１としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２６】
上述した本発明の第１実施形態のおむつ１Ａを使用した際の作用効果について説明する。
おむつ１Ａは、図１（ａ）に示すように、裏面シート３を構成するフィルム３１に円形状のキャラクターのグラフィック８ａが形成されており、フィルム３１よりも外面側に位置する外層シート６１の外面にグラフィック８ｄが形成されており、フィルム３１に形成されるグラフィック８ａの輪郭と、外層シート６１に形成されるグラフィック８ｄの輪郭とが重なっている。また、外層シート６１に形成されるグラフィック８ｄが、フォトクロミック化合物を用いて形成されている。その為、おむつ１Ａのみを履いた状態で外出すると、紫外光により、図１（ｂ）に示すように、円形状のキャラクターのグラフィック８ａよりも外面側の外層シート６１に形成されたグラフィック８ｄが色変化し、絵柄（円形状のキャラクターの模様）を使用中に変化させることができる。また、裏面シート３を構成するフィルム３１に形成されたグラフィック８ａは、フィルム３１よりも外面側に位置するシート材で覆われているので、絵柄（円形状のキャラクターの模様）に立体感や深みを与えることができ、印刷の絵柄にリアリティーや臨場感を与えることができる。なお、フォトクロミック化合物を裏面シート３より外側に存在するいずれのシート材（おむつ１Ａにおいては裏面シート３を構成する不織布３２、腹側シート部材６Ａを構成する内層シート６２及び外層シー６１）に形成されたグラフィックの一部または全部に使用することでも上記効果を得ることができる。
【００２７】
また、おむつ１Ａは、図１（ａ），図１（ｂ）に示すように、フィルム３１に形成されるグラフィック８ａの輪郭と、外層シート６１に形成されるグラフィック８ｄの輪郭とが重なっており、重なっている部分に、フォトクロミック化合物が配されている。そのため、絵柄（円形状のキャラクターの模様）に立体感や深みを与えたいとのニーズを更に満たし、印刷の絵柄に特徴を持たせることができる。
【００２８】
また、おむつ１Ａは、裏面シート３を構成するフィルム３１に円形状のキャラクターのグラフィック８ａを有し、フィルム３１よりも外面側に位置する外層シート６１の外面に、無色から有色に変化するフォトクロミック化合物から形成されたグラフィック８ｄを有しているので、図１（ａ）に示すように、使用前に、円形状のキャラクターのグラフィック８ａの視認性を阻害し難い。また、おむつ１Ａは、裏面シート３を構成するフィルム３１よりも外面側に位置するシート材に、図３に示すように、裏面シート３を構成する不織布３２、腹側シート部材６Ａを構成する内層シート６２、及び内層シート６２の外面側に配された腹側シート部材６Ａを構成する外層シート６１を有し、それぞれが不織布で形成されているので、裏面シート３を構成するフィルム３１に形成された絵柄（円形状のキャラクターの模様）に、立体感や深みを更に強く与えることができる。
【００２９】
次に、本発明の第２実施形態の使い捨ておむつについて、図４〜図５に基づいて説明する。
第２実施形態の使い捨ておむつ１Ｂについては、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００３０】
おむつ１Ｂは、裏面シート３よりも外面側、即ち、裏面シート３を構成するフィルム３１よりも外面側に位置するシート材を複数有しており、おむつ１Ｂにおけるシート材には、図５に示すように、裏面シート３を構成する樹脂フィルム３１の外面に配された不織布３２、腹側シート部材６Ａを構成する内層シート６２、及び内層シート６２の外面側に配された腹側シート部材６Ａを構成する外層シート６１が該当する。おむつ１Ｂにおいては、裏面シート３を構成する樹脂フィルム３１、裏面シート３を構成する不織布３２、腹側シート部材６Ａを構成する内層シート６２及び腹側シート部材６Ａを構成する外層シート６１それぞれにグラフィック８が形成されている。おむつ１Ｂにおいては、樹脂フィルム３１に形成されるグラフィック８ａの輪郭と不織布３２に形成されるグラフィック８ｂの輪郭とが一部重なっており、不織布３２に形成されるグラフィック８ｂの輪郭と内層シート６２に形成されるグラフィック８ｃの輪郭とが一部重なっており、内層シート６２に形成されるグラフィック８ｃの輪郭と外層シート６１に形成されるグラフィック８ｄの輪郭とが一部重なっている。おむつ１Ｂにおいては、樹脂フィルム３１のグラフィック８ａの全部、不織布３２のグラフィック８ｂの全部、内層シート６２のグラフィック８ｃの全部、及び外層シート６１のグラフィック８ｄの全部が、フォトクロミック化合物を用いて形成されており、グラフィック８ａの輪郭とグラフィック８ｂの輪郭との重なっている部分、グラフィック８ｂの輪郭とグラフィック８ｃの輪郭との重なっている部分、及びグラフィック８ｃの輪郭とグラフィック８ｄの輪郭との重なっている部分にフォトクロミック化合物が配されている。
【００３１】
樹脂フィルム３１のグラフィック８ａ、不織布３２のグラフィック８ｂ、内層シート６２のグラフィック８ｃ、及び外層シート６１のグラフィック８ｄそれぞれは、おむつ１Ｂにおいては、フォトクロミック化合物を含有するインクを、フレキソ、グラビア、インクジェット方式等の公知の方法により樹脂フィルム３１、不織布３２、内層シート６２及び外層シート６１それぞれの外面に印刷して形成されたものであり、色の発現後、外部から視認可能になっている。おむつ１Ｂのグラフィック８ａ，８ｂ，８ｃ，８ｄは、図４（ｂ）に示すように、同形同大の円形状の模様に形成されており、幅方向（Ｘ方向）に少しずつズレて配されている。
【００３２】
グラフィック８ａ，８ｂ，８ｃ，８ｄを形成するインクに含まれるフォトクロミック化合物は、光、特に紫外光の照射により、無色から有色に変化する化合物である。グラフィック８ａ，８ｂ，８ｃ，８ｄを形成するインクに含まれるフォトクロミック化合物には、紫外光の照射により、同じ色（例えば赤色）を発現する化合物を用いてもよいし、異なる色（例えば、グラフィック８ａのインクのフォトクロミック化合物は黄色、グラフィック８ｂのインクのフォトクロミック化合物は赤色、グラフィック８ｃのインクのフォトクロミック化合物は青色、グラフィック８ｄのインクのフォトクロミック化合物は緑色）を発現する化合物を用いてもよい。
【００３３】
第２実施形態の使い捨ておむつ１Ｂの形成材料について説明する。
第２実施形態の使い捨ておむつ１Ｂの形成材料は、第１実施形態の使い捨ておむつ１Ａの形成材料と同様である。
【００３４】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の使い捨ておむつ１Ａの効果の説明が適宜適用される。
【００３５】
おむつ１Ｂは、図５に示すように、裏面シート３を構成する樹脂フィルム３１、裏面シート３を構成する不織布３２、腹側シート部材６Ａを構成する内層シート６２、及び腹側シート部材６Ａを構成する外層シート６１それぞれにグラフィック８ａ，８ｂ，８ｃ，８ｄが形成されているが、グラフィック８ａ，８ｂ，８ｃ，８ｄが全てフォトクロミック化合物を用いて形成されているため、外出前は、図４（ａ）に示すように、絵柄が現れていない。しかし、おむつ１Ｂのみを履いた状態で外出すると、紫外光により、図４（ｂ）に示すように、グラフィック８ａ，８ｂ，８ｃ，８ｄが全て色変化し、絵柄（円形状の模様）を使用中に現わすことができる。また、グラフィック８ａ，８ｂ，８ｃ，８ｄが幅方向（Ｘ方向）に少しずつズレて現れるので、絵柄（円形状の模様）に立体感や深みを与えることができ、印刷の絵柄にリアリティーや臨場感を与えることができる。
【００３６】
次に、本発明の第３実施形態の使い捨ておむつについて、図６〜図８に基づいて説明する。
第３実施形態の使い捨ておむつ１Ｃについては、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００３７】
第３実施形態の使い捨ておむつ１Ｃ（以下、「おむつ１Ｃ」ともいう。）は、液透過性の表面シート２と、液不透過性の裏面シート３と、これらシート間に配された吸収体４とを備え、腹側部Ａ、背側部Ｂ及び股下部Ｃに区分された使い捨ておむつである。以下、詳述すると、おむつ１Ｃは、図６，図７に示すように、所謂、展開型の使い捨ておむつであり、着用時に着用者の背側に位置する背側部Ａ、着用者の腹側に位置する腹側部Ｂ、及び背側部Ａと腹側部Ｂとの間に配置される股下部Ｃを有する吸収性本体５を備えている。おむつ１Ａは、図１に示すように、背側部Ａの左右両側縁に連設された左右一対のファスニングテープ９，９とを有している。おむつ１Ｃは、図６，図７に示すように、腹側部Ｂの外面には、ファスニングテープ９を止着するターゲットシート１０を有している。
尚、おむつ１Ｃは、図７に示すように、平面状に拡げた状態において、吸収体４と同方向に長い形状を有している。
【００３８】
おむつ１Ｃの吸収性本体５は、図７，図８に示すように、縦方向（Ｙ方向）に長く、縦方向（Ｙ方向）の両側縁が、縦方向（Ｙ方向）の中央部において内方に括れた形状を有しており、縦方向（Ｙ方向）の両端部それぞれの幅が、縦方向（Ｙ方向）の中央部の幅よりも広くなっている。吸収性本体５は、図７，図８に示すように、おむつ１Ｃの内面をなす液透過性の表面シート２と、おむつ１Ｃの外面をなす液難透過性の裏面シート３と、これらのシート２，３間に介在された液保持性の吸収体４とを有している。表面シート２及び裏面シート３それぞれは、図７，図８に示すように、吸収体４の肌当接面側の全面及び非肌当接面側の全面を覆っており、吸収体４の周縁から延出している。また、表面シート２は、図８に示すように、Ｘ方向の長さが裏面シート３のＸ方向の長さよりも短くなっている。おむつ１Ｃの裏面シート３は、図８に示すように、液不透過性又は撥水性の樹脂フィルム３１と、樹脂フィルム３１の外面に配した不織布３２とからなる積層体である。おむつ１Ｃのターゲットシート１０は、図８に示すように、裏面シート３を構成する不織布３２の外面に配されている。
【００３９】
吸収性本体５には、図７に示すように、Ｙ方向の両側部５ｃ，５ｃそれぞれに、表面シート２を介してサイドシート１１が配されている。サイドシート１１は、図７に示すように、表面シート２の肌当接面側であって、縦方向（Ｙ方向）の側部全域に亘って配設固定されている。各サイドシート１１のＸ方向の内方（中心線ＣＬ寄り）の端部は、図７に示すように、自由端となっており、股下部Ｃにおける自由端近傍には立体ギャザー形成用の弾性部材７１が縦方向（Ｙ方向）に伸長状態で配設固定されており、着用時には、その弾性部材の収縮力により、自由端から所定幅の部分が表面シート２から離間して立体ギャザーが形成される。
【００４０】
吸収性本体５の両側部５ｃ，５ｃには、図７，図８に示すように、腹側部Ａ及び背側部Ｂそれぞれにおいて、Ｘ方向の外方に延出したサイドシート１１と裏面シート３とが接合され、サイドフラップ部５１が形成されている。吸収性本体５には、図７，図８に示すように、股下部Ｃにおいて、幅方向（Ｘ方向）外方に延出したサイドシート１１と裏面シート３とが接合され、レッグフラップ部５２が形成されている。レッグフラップ部５２には、股下部Ｃにおいて、レッグギャザー形成用の弾性部材７１が長手方向（Ｙ方向）に伸長状態で配設固定されており、着用時には、その弾性部材の収縮力により、レッグギャザーが形成される。
【００４１】
おむつ１Ｃは、裏面シート３よりも外面側、即ち、裏面シート３を構成するフィルム３１よりも外面側に位置するシート材を複数有しており、おむつ１Ｃにおけるシート材には、図８に示すように、裏面シート３を構成する樹脂フィルム３１の外面に配された不織布３２、及び不織布３２の外面側に配されたターゲットシート１０が該当する。おむつ１Ｃにおいては、裏面シート３を構成する樹脂フィルム３１及び裏面シート３を構成する不織布３２それぞれにグラフィック８が形成されている。おむつ１Ｃにおいては、樹脂フィルム３１に形成されるグラフィック８ａの輪郭と不織布３２に形成されるグラフィック８ｂの輪郭とが重なっている。おむつ１Ｃにおいては、樹脂フィルム３１のグラフィック８ａの全部が、フォトクロミック化合物を用いて形成されており、グラフィック８ａの輪郭とグラフィック８ｂの輪郭との重なっている部分にフォトクロミック化合物が配されている。
【００４２】
樹脂フィルム３１より外面側の不織布３２のグラフィック８ｄは、従来この種の使い捨ておむつに用いられてきたインクを、フレキソ、グラビア、インクジェット方式等の公知の方法により不織布３２の外面に印刷して形成されたものである。おむつ１Ｃのグラフィック８ｂは、図６（ａ）に示すような太陽を擬人化した円形状のキャラクターの模様である。
【００４３】
樹脂フィルム３１のグラフィック８ａは、おむつ１Ｃにおいては、フォトクロミック化合物を含有するインクを、フレキソ、グラビア、インクジェット方式等の公知の方法により樹脂フィルム３１の外面に印刷して形成されたものであり、色の発現後、外部から視認可能になっている。おむつ１Ｃのグラフィック８ａは、図６（ｂ）に示すように、おむつ１Ｃのグラフィック８ｂである太陽のキャラクターの中の太陽中心部の輪郭に対応する円形状に形成されている。
【００４４】
おむつ１Ｃにおいては、グラフィック８ｂの中の中央部の輪郭とグラフィック８ａの輪郭とが略一致している。グラフィック８ａを形成するインクに含まれるフォトクロミック化合物は、光、特に紫外光の照射により、無色から有色に変化する化合物である。
【００４５】
第３実施形態の使い捨ておむつ１Ｃの形成材料について説明する。
第３実施形態の使い捨ておむつ１Ｃの形成材料については、第１実施形態の使い捨ておむつ１Ａの形成材料と異なる点について説明する。特に説明しない点は、第１実施形態の使い捨ておむつ１Ａの形成材料と同様である。
【００４６】
おむつ１Ｃの立体ギャザーやレッグギャザーを形成するサイドシート１１としては、通常、使い捨ておむつ等の吸収性物品に用いられるものであれば、特に制限なく用いることができ、伸縮性のフィルム、不織布、織物またはそれらの積層シート等を用いることができる。
【００４７】
おむつ１Ｃのファスニングテープ９の係合突起及びターゲットシート１０は、通常、使い捨ておむつ等の吸収性物品に用いられるものであれば、特に制限なく用いることができる。例えば、係合突起としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットシート１０としては、係合突起を押しつけることにより、係合突起を止着可能なものを特に制限なく用いることができる。例えば、例えば上述した各種公知の機械的面ファスナーにおけるメス部材や係合性に富む不織布を用いることができる。
【００４８】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の使い捨ておむつ１Ａの効果の説明が適宜適用される。
【００４９】
おむつ１Ｃは、図８に示すように、裏面シート３を構成する樹脂フィルム３１、及び裏面シート３を構成する不織布３２それぞれにグラフィック８ａ，８ｂが形成されており、グラフィック８ａがフォトクロミック化合物を用いて形成されている。そのため、外出前は、図６（ａ）に示すように、外面側の不織布３２に形成されたグラフィック８ｂのみが現れている。そしておむつ１Ｃのみを履いた状態で外出すると、紫外光により、図６（ｂ）に示すように、太陽のキャラクターの中の太陽中心部に対応するグラフィック８ａが色変化し、絵柄（太陽を擬人化したキャラクターの模様）を使用中に変化させることができ、グラフィック８ａ及びグラフィック８ｂが重なっているため、印刷の絵柄にリアリティーや臨場感を与えることができる。
【００５０】
次に、本発明の第４実施形態の使い捨ておむつについて、図９〜図１０に基づいて説明する。
第４実施形態の使い捨ておむつ１Ｄについては、第１実施形態の使い捨ておむつ１Ａ又は第３実施形態の使い捨ておむつ１Ｃと異なる点について説明する。特に説明しない点は、第１実施形態の使い捨ておむつ１Ａ又は第３実施形態の使い捨ておむつ１Ｃと同様であり、第１実施形態の使い捨ておむつ１Ａ又は第３実施形態の使い捨ておむつ１Ｃの説明が適宜適用される。
【００５１】
第４実施形態の使い捨ておむつ１Ｄ（以下、「おむつ１Ｄ」ともいう。）は、液透過性の表面シート２と、液不透過性の裏面シート３と、これらシート間に配された吸収体４とを備え、腹側部Ａ、背側部Ｂ及び股下部Ｃに区分された使い捨ておむつである。以下、詳述すると、おむつ１Ｄは、図９に示すように、おむつ１Ｃと同様に、展開型の使い捨ておむつである。
【００５２】
おむつ１Ｄは、裏面シート３よりも外面側、即ち、裏面シート３を構成するフィルム３１よりも外面側に位置するシート材を複数有しており、おむつ１Ｄにおけるシート材には、おむつ１Ｃと同様に、図１０に示すように、裏面シート３を構成する樹脂フィルム３１の外面に配された不織布３２、及び不織布３２の外面側に配されたターゲットシート１０が該当する。おむつ１Ｃにおいては、裏面シート３を構成する樹脂フィルム３１及びターゲットシート１０それぞれにグラフィック８が形成されている。おむつ１Ｄにおいては、樹脂フィルム３１に形成されるグラフィック８ａの輪郭とターゲットシート１０に形成されるグラフィック８ｅの輪郭とが接している。おむつ１Ｄにおいては、ターゲットシート１０のグラフィック８ｅの全部が、フォトクロミック化合物を用いて形成されている。
【００５３】
樹脂フィルム３１のグラフィック８ａは、従来この種の使い捨ておむつに用いられてきたインクを、フレキソ、グラビア、インクジェット方式等の公知の方法により樹脂フィルム３１の外面に印刷して形成されたものである。おむつ１Ｄのグラフィック８ａは、図９（ａ）に示すような風船を表すキャラクターの模様である。
【００５４】
樹脂フィルム３１より外面側のターゲットシート１０のグラフィック８ｅは、おむつ１Ｄにおいては、フォトクロミック化合物を含有するインクを、フレキソ、グラビア、インクジェット方式等の公知の方法によりターゲットシート１０の外面に印刷して形成されたものである。おむつ１Ｄのグラフィック８ｅは、図９（ｂ）に示すように、おむつ１Ｄのグラフィック８ａである風船を結ぶ紐を表す曲線状の模様である。
【００５５】
おむつ１Ｄにおいては、グラフィック８ａの輪郭とグラフィック８ｅの輪郭とが接している。グラフィック８ｅを形成するインクに含まれるフォトクロミック化合物は、光、特に紫外光の照射により、無色から有色に変化する化合物である。
【００５６】
第４実施形態の使い捨ておむつ１Ｄの形成材料について説明する。
第４実施形態の使い捨ておむつ１Ｄの形成材料については、第１実施形態の使い捨ておむつ１Ａ又は第３実施形態の使い捨ておむつ１Ｄの形成材料と同様である。
【００５７】
上述した本発明の第４実施形態の使い捨ておむつ１Ｄを使用した際の作用効果について説明する。
第４実施形態のおむつ１Ｄの効果については、第１実施形態のおむつ１Ａ又は第３実施形態のおむつ１Ｄの効果と異なる点について説明する。特に説明しない点は、第１実施形態のおむつ１Ａ又は第３実施形態のおむつ１Ｄの効果と同様であり、第１実施形態の使い捨ておむつ１Ａ又は第３実施形態のおむつ１Ｄの効果の説明が適宜適用される。
【００５８】
おむつ１Ｄは、図１０に示すように、裏面シート３を構成する樹脂フィルム３１、及びターゲットシート１０それぞれにグラフィック８ａ，８ｅが形成されており、グラフィック８ｅがフォトクロミック化合物を用いて形成されている。そのため、外出前は、図９（ａ）に示すように、樹脂フィルム３１に形成されたグラフィック８ａのみが現れている。そしておむつ１Ｄのみを履いた状態で外出すると、紫外光により、図９（ｂ）に示すように、グラフィック８ｅが色変化し、風船を結ぶ紐が現れ、絵柄を使用中に変化させることができる。また、グラフィック８ａ及びグラフィック８ｅが接しているため、色変化後に、もとからあったグラフィックを含むさらに大きな新たなグラフィックが出現し、驚きを与えることができる。
【００５９】
本発明の使い捨ておむつは、上述の第１実施形態の使い捨ておむつ１Ａ、第２実施形態の使い捨ておむつ１Ｂ、第３実施形態の使い捨ておむつ１Ｃ、及び第４実施形態の使い捨ておむつ１Ｄに何ら制限されるものではなく、適宜変更可能である。また、上述の第１，第２，第３，第４実施形態の使い捨ておむつにおける各構成要件は、本発明の趣旨を損なわない範囲で、適宜組み合わせて実施できる。
【００６０】
例えば、上述の第２実施形態のおむつ１Ｂにおいては、図５に示すように、樹脂フィルム３１のグラフィック８ａ、不織布３２のグラフィック８ｂ、内層シート６２のグラフィック８ｃ、及び外層シート６１のグラフィック８ｄの全部がフォトクロミック化合物を用いて形成されており、上述の第４実施形態のおむつ１Ｃにおいては、図１０に示すように、ターゲットシート１０のグラフィック８ｅの全部がフォトクロミック化合物を用いて形成されているが、グラフィック８の一部がフォトクロミック化合物を用いて形成されていてもよい。
【００６１】
また、例えば、上述の第１実施形態のおむつ１Ａ，第２実施形態のおむつ１Ｂ，第３実施形態のおむつ１Ｃ，第４実施形態のおむつ１Ｄにおいては、グラフィック８ａ，８ｂ，８ｃ，８ｄ，８ｅそれぞれが、樹脂フィルム３１の外面、不織布３２の外面、内層シート６２の外面、外層シート６１の外面、及びターゲットシート１０の外面に形成されているが、内面に形成されていてもよい。
【００６２】
また、例えば、上述の第１実施形態のおむつ１Ａにおいては、裏面シート３の樹脂フィルム３１に形成されるグラフィック８ａの輪郭と外層シート６１に形成されるグラフィック８ｄの輪郭とが重なっている部分に、フォトクロミック化合物が配されているが、前記重なっている部分以外の部分に、フォトクロミック化合物が配されていてもよい。
【００６３】
また、例えば、上述の第１，第２実施形態のおむつ１Ａ，１Ｂは、図１，図４に示すように、腹側シート部材６Ａと背側シート部材６Ｂとに分かれたパンツ型使い捨ておむつであるが、腹側シート部材６Ａと背側シート部材６Ｂとが連続して形成されたパンツ型使い捨ておむつであってもよい。
【符号の説明】
【００６４】
１Ａ，１Ｂ，１Ｃ，１Ｄ  使い捨ておむつ
２  表面シート
３  裏面シート
３１  樹脂フィルム
３２  不織布
４  吸収体
５  吸収性本体
５ａ，５ｂ  縦方向（Ｙ方向）の端部
５ｃ  吸収性本体の側部
６Ａ  腹側シート部材
６ａ  側縁部
６Ｂ  背側シート部材
６ｂ  側縁部
６１  外層シート
６２  内層シート
７  立体ギャザー
７ａ  第１立体ギャザー
７ｂ  第２立体ギャザー
７０  立体ギャザー形成用シート
７１  弾性部材
８  グラフィック
８ａ，８ｂ，８ｃ，８ｄ，８ｅ  グラフィック
９  ファスニングテープ
１０  ターゲットシート
１１  サイドシート
【図１】
2012095845.tif 000003
【図２】
2012095845.tif 000004
【図３】
2012095845.tif 000005
【図４】
2012095845.tif 000006
【図５】
2012095845.tif 000007
【図６】
2012095845.tif 000008
【図７】
2012095845.tif 000009
【図８】
2012095845.tif 000010
【図９】
2012095845.tif 000011
【図１０】
2012095845.tif 000012